(57)【要約】      （修正有）【課題】リトフェインを手軽に良好に鑑賞することのできるリトフェイン用ケースを提供する。【解決手段】リトフェイン用ケース１０は、リトフェインを鑑賞するために収納するリトフェイン用ケース１０であり、リトフェインの外縁を保持して収納するリトフェイン収納部１１と、リトフェイン収納部１１から表側に突出するように設置され、リトフェイン収納部１１の表側の光量を低減する遮光カバー２０と、を備え、遮光カバー２０は、上方からの光を遮光する上方カバー２１と、左右側方からの光を遮光する側方カバー２２と、を備える。【選択図】図１
0003230428.tif 000002
【実用新案登録請求の範囲】
【請求項１】
リトフェインを鑑賞するために収納するリトフェイン用ケースにおいて、
前記リトフェインの外縁を保持して収納するリトフェイン収納部と、
前記リトフェイン収納部から表側に突出するように設置され、前記リトフェイン収納部の表側の光量を低減する遮光カバーと、を備え、
前記遮光カバーは、上方からの光を遮光する上方カバーと、左右側方からの光を遮光する側方カバーと、を備えることを特徴とするリトフェイン用ケース。
【請求項２】
前記リトフェイン収納部は、前記リトフェインを嵌めるための収納フレーム溝を備え、
前記上方カバー及び前記側方カバーは、前記収納フレーム溝の最大長の3分の1以上、前記リトフェイン収納部から表側に突出していることを特徴とする請求項１記載のリトフェイン用ケース。
【請求項３】
前記リトフェイン収納部及び前記遮光カバーは、観察する貫通穴を形成するように１つの木材を切削加工することで、一体に形成されていることを特徴とする請求項１又は２記載のリトフェイン用ケース。
【考案の詳細な説明】
【技術分野】
【０００１】
本考案は、リトフェインを収納するためのリトフェイン用ケースに関する。
【背景技術】
【０００２】
リトフェインとは、板状の素材を彫刻加工する際に、図案に合わせて彫刻の深さを変えることで素材の厚みを変化させ、図案に合わせて素材の光の透過率を異ならせた造形物であり、例えば、下記特許文献１に開示されている。
【０００３】
リトフェインの裏側から光を当てると、光の透過率の違いにより、図案が影と共に光の濃淡で表され、表側からは立体的に浮かび上がった図案を観察することができる。
【０００４】
リトフェインは、中世のヨーロッパで発祥したとも言われており、当時は、素材として大理石が使われていたが、近年は、人工大理石（アクリル樹脂やポリエステル樹脂を主成分とする人工素材）が素材として使用され、ＣＮＣルーターにより造形が行われている。また、３Ｄプリンタの技術的な進歩により、彫刻ではなく、ＡＢＳ樹脂やＰＬＡ樹脂（ポリ乳酸）等の積層によりリトフェインの造形を行うケースも増えている。
【先行技術文献】
【特許文献】
【０００５】
【特許文献１】登録実用新案第３２１６６５３号公報
【考案の概要】
【考案が解決しようとする課題】
【０００６】
ところで、リトフェインは、裏側と表側との光量の差により、表側から図案を観察するものであり、安定して図案を観察するためには、相対的に裏側の光量を表側よりも大きくしておく必要がある。
【０００７】
このため、従来は、リトフェインの裏側に光源を設置したり、昼間であれば明るい窓際付近に裏側を外に向けてリトフェインを設置したりして観察しており、リトフェインを観察するために手間がかかったり、タイミングが制限されたりしていた。
【０００８】
本考案は、上記課題を解決するためになされたものであり、リトフェインを手軽に良好に鑑賞することのできるリトフェイン用ケースを提供することを目的とする。
【課題を解決するための手段】
【０００９】
上記課題を解決するために、本考案に係るリトフェイン用ケースは、リトフェインを鑑賞するために収納するリトフェイン用ケースにおいて、前記リトフェインの外縁を保持して収納するリトフェイン収納部と、前記リトフェイン収納部から表側に突出するように設置され、前記リトフェイン収納部の表側の光量を低減する遮光カバーと、を備え、前記遮光カバーは、上方からの光を遮光する上方カバーと、左右側方からの光を遮光する側方カバーと、を備えることを特徴とする。
【考案の効果】
【００１０】
本考案に係るリトフェイン用ケースによれば、遮光カバーによりリトフェインの表側の光量を低減することで手軽に良好にリトフェインを鑑賞することができる。
【図面の簡単な説明】
【００１１】
【図１】図１は、本考案の実施形態に係るリトフェイン用ケースの表側の斜視図である。
【図２】図２は、本考案の実施形態に係るリトフェイン用ケースの裏側の斜視図である。
【図３】図３は、本考案の実施形態に係るリトフェイン用ケースの背面図である。
【図４】図４は、図３のＡ−Ａ線断面図である。
【図５】図５は、本考案の実施形態に係るリトフェイン用ケースの作用効果を説明するための図である。
【考案を実施するための形態】
【００１２】
以下、図面を参照しながら、本考案の実施形態に係るリトフェイン用ケース１０について詳細に説明する。図１、図３及び図４は、リトフェインを収納した状態の図であり、図２は、リトフェインが未収納状態の図である。
【００１３】
リトフェイン用ケース１０は、長方形プレート状のリトフェイン５を手軽に良好に鑑賞するために収納するケースであり、リトフェイン収納部１１と、筒状遮光カバー２０とを備えている。本実施形態では、リトフェイン用ケース１０は木製で直方体形状であり、リトフェイン収容部１１と、筒状遮光カバー２０は、1つの木材を切削加工することで一体に形成されている。
【００１４】
また、本実施形態では、リトフェイン収納部１１が位置する側がケース裏側、筒状遮光カバー２０が位置する側がケース表側である。リトフェイン５を、その表側がリトフェイン用ケース１０の表側に向くようにしてリトフェイン収納部１１に収納することで、ケース表側から良好にリトフェイン５を観察することが可能となる。
【００１５】
リトフェイン用ケース１０は、筒状遮光カバー２０からリトフェイン収納部１１にかけて、表側から裏側まで貫通する観察穴３０が形成されており、リトフェイン５の観察者は、この観察穴３０を通して、表側からリトフェイン５を観察する。
【００１６】
リトフェイン収納部１１は、収納フレーム溝１５と、留め具１６と、表面保護透明板１７とを備えており、リトフェイン５の外縁を保持して収納する。収納フレーム溝１５は、リトフェイン５が嵌められる溝であり、リトフェイン用ケース１０の裏側面に収納されるリトフェイン５の外縁形状に合わせて長方形フレーム状に彫られた溝である。
【００１７】
観察穴３０は、リトフェイン５の外縁形状と略同じ大きさの収納フレーム１５溝の大きさよりも一回り小さく、収納フレーム溝１５の部分では、リトフェイン収納部１１と筒状遮光カバー２０との境界部分に段差部１５ａが形成されている。
【００１８】
よって、リトフェイン用ケース１０の裏側からリトフェイン収納部１１に収納されるリトフェイン５の表面外縁は、この段差部１５ａに接触する。留め具１６は、リトフェイン収納部１１に設置されたリトフェイン５の裏面外縁を押さえて留める部材であり、リトフェイン収納部１１に収納されたリトフェイン５の裏面を押さえる留め位置と、留め位置から後退した後退位置との間で回動可能に構成されている。留め位置に位置する留め具１６は、リトフェイン５を段差部１５ａとの間に挟んで挟持する。
【００１９】
なお、本実施形態では、リトフェイン収納部１１に収納されるリトフェイン５の表側には、透明アクリル板である表面保護透明板１７が設置されており、上述した段差部１５ａに直接接触するのは表面保護透明板１７である。
【００２０】
リトフェイン５の表面は、切削加工の際にできる細かな凹凸が形成されており、汚れが付着すると取り除くのが困難なケースが多い。このため、本実施形態では、リトフェイン５の表面への汚れの付着を防止するために、表面保護透明板１７を設置している。表面保護透明板１７の形状は、リトフェイン５全体を良好にカバーできるように、表側からの正面視において、リトフェイン５と略同じ長方形状である。
【００２１】
筒状遮光カバー２０は、リトフェイン収納部１１に収納されたリトフェイン５の表面に外部から到達する光量を下げるために設置されており、上方カバー２１と、左右の側方カバー２２と、下方カバー２３とを備えている。本実施形態では、1つの木材に観察穴３０を切削加工することで、上方カバー２１、側方カバー２２及び下方カバー２３が一体に形成されている。
【００２２】
もちろん、筒状遮光カバー２０の形状やサイズは適宜変更可能であり、リトフェイン用ケース１０は、棚の上などの設置面上に置かれるため、遮光のためには下方カバー２３を省略することができ、少なくとも、上方からの入射光を遮る上方カバー２１と、左右側方からの入射光を遮る側方カバー２２とが設置されていれば良い。
【００２３】
また、本実施形態では、リトフェイン収納部１１と筒状遮光カバー２０とを1つの木材を加工して一体に構成しているが、別々の部材を連結させて構成しても良く、例えば、リトフェイン収納部１１の表側に別体の上方カバー２１と、別体の左右の側方カバー２２を別途固定設置するようにしても良い。
【００２４】
但し、筒状遮光カバー２０のケース表側へ突出する長さ（カバーの奥行き）が短いと、遮ることのできる光量が少なくなり、効果的に遮光することができない。よって、筒状遮光カバー２０のリトフェイン収納部１１からのケース表側への突出長さは、リトフェイン５の表面外縁の最大長（外縁上で最も離れた2点間の距離）の3分の1以上であることが望ましい。
【００２５】
リトフェイン５の外縁形状は、収納フレーム溝１５と略同じであるから、言い換えれば、筒状遮光カバー２０のケース表側への突出長さは、収納フレーム溝１５の外縁の最大長（本実施形態では、長方形の対角線長）の3分の1以上であることが望ましい。
【００２６】
ここで、本実施形態では、リトフェイン用ケース１０のサイズは、縦96mm、横70mm、奥行き40mmであり、観察穴３０のサイズは、縦60mm、横40mmである。また、リトフェイン５のサイズは、外縁は縦65mm、横45mmであり、図案部（彫刻部）は縦53mm、横35mmである。表面保護透明板１７のサイズは、リトフェイン５の外縁と同じであり、縦65mm、横45mmである。
【００２７】
また、奥行き方向のサイズに関して、リトフェイン収納部１１の収納フレーム溝１５の深さが7mmであり、表面保護透明板１７の厚みが1mm、リトフェイン５の最大厚みとなる周縁部の厚みが6mmである。また、筒状遮光カバー２０の上方カバー２１，側方カバー２２及び下方カバー２３のリトフェイン収納部１１から表側への突出長さは33mmである。
【００２８】
以上、リトフェイン用ケース１０の構成について説明したが、続いて、リトフェイン用ケース１０の使用態様について説明する。リトフェイン５の設置にあたっては、まず、リトフェイン収納部１１の回転可能な留め具１６を、リトフェイン５を収納する際に邪魔にならない後退位置に回動させる。
【００２９】
続いて、リトフェイン５よりも先に、表面保護透明板１７をリトフェイン収納部１１の収納フレーム溝１５内に収納する。表面保護透明板１７を収納すると、表面保護透明板１７のケース表側の面が段差部１５ａに接触する。
【００３０】
引き続き、リトフェイン５をその表面から先に収納フレーム溝１５内に収納する。収納されたリトフェイン５の表面は表面保護透明板１７に接触する。リトフェイン５の収納後、留め具１６を留め位置に回動させることで、収納されたリトフェイン５を表面保護透明板１７と共に収納位置に固定する。以上により、リトフェイン５がリトフェイン用ケース１０内に収納される。
【００３１】
続いて、本実施形態に係るリトフェイン用ケース１０の作用効果について図５を参照しながら説明する。同図において、左側は、本実施形態に係るリトフェイン用ケース１０に収納したリトフェイン５であり、右側に設置されているが、比較例として、遮光カバーのない2枚のアクリル板で挟むケースに収納したリトフェイン５である。
【００３２】
同図から分かるように、左側のリトフェイン５は、表側の光量が相対的に低減されており、図案を良好に観察できるのに対して、右側のリトフェイン５は、表側の光量が低減されていないため、図案をはっきりと観察することができない。
【００３３】
以上、本実施形態について説明したが、リトフェイン用ケース１０によれば、筒状遮光カバー２０により、リトフェイン収納部１１に収納されたリトフェイン５の表側の光量を低減することで、手軽に良好にリトフェイン５を観察することができる。
【００３４】
以上、本考案の実施形態について詳細に説明したが、本考案は上記実施形態に限定されるものではなく、本考案の主旨を逸脱しない範囲内で種々の変形が可能である。例えば、リトフェイン用ケースを構成する部材の素材や形状、サイズ等は適宜変更可能である。
【符号の説明】
【００３５】
１０    リトフェイン用ケース
１１    リトフェイン収納部
１５    収納フレーム溝
１５ａ  段差部
１６    留め具
１７    表面保護透明板
２０  筒状遮光カバー
２１    上方カバー
２２    側方カバー
２３    下方カバー
３０    観察穴
５      リトフェイン
【図１】
0003230428.tif 000003
【図２】
0003230428.tif 000004
【図３】
0003230428.tif 000005
【図４】
0003230428.tif 000006
【図５】
0003230428.tif 000007